(57)【要約】無線通信システムにおける本発明による方法では、複数の加入者局（ＭＳ）によって共通して使用されるチャネル（ＤＳＣＨ）は少なくとも２つのチャネルから構成される。これらのチャネルは、時間的に連続して使用される、並行して存在する複数のコネクション（Ｖ１、Ｖ２）に割り当てることができる。チャネルは加入者局（ＭＳ）には既知である順番で構成されている。本発明による方法では、加入者局（ＭＳ）に加入者固有のシグナリングメッセージ（ＴＦＣＩ）を用いてチャネルの個数またはデータレートが割り当てられる。付加的に加入者局（ＭＳ）にはチャネルを選択するために、開始地点及び／又は順番の方向がシグナリングされる。
2004530385.tif 000002
【特許請求の範囲】
【請求項１】
基地局（ＢＳ）と加入者局（ＭＳ）との間のデータ伝送を無線インタフェースを介して行う、無線通信システムにおいてチャネルを割り当てる方法において、
−複数の加入者局（ＭＳ）によって共通して使用可能なチャネル（ＤＳＣＨ）は少なくとも２つのチャネルから成り、該チャネルを、時間的に連続して使用される複数の並行して存在するコネクション（Ｖ１、Ｖ２）に割り当て、該チャネルは前記加入者局（ＭＳ）に既知である順序により構成されており、
−加入者局（ＭＳ１）に加入者固有のシグナリングメッセージ（ＴＦＣＩ）を用いて、複数のチャネルまたはデータレートを割り当て、
前記加入者局（ＭＳ）には付加的に、チャネルを選択するための開始地点及び／又は順番の方向をシグナリングする、
ことを特徴とする、チャネルを割り当てる方法。
【請求項２】
前記基地局（ＢＳ）と前記加入者局（ＭＳ）との間のコネクション（Ｖ１）の内部で、１つまたは複数のチャネル（ＤＣＨ、ＤＳＣＨ）において複数のサービス（Ｓ）のデータの組合せを伝送し、目下の組合せ、データレート（ＧＲ）及び共通のチャネル（ＤＳＣＨ）の分配を前記シグナリングメッセージ（ＴＦＣＩ）における値に基づきシグナリングする、請求項１記載の方法。
【請求項３】
前記データ伝送を下り方向において前記基地局（ＢＳ）から前記加入者局（ＭＳ）へと行う、請求項１または２記載の方法。
【請求項４】
割り当てられたデータレート（ＧＲ）と共通のチャネル（ＤＳＣＨ）において使用すべきチャネルとの間の関係をコネクションの確立時に取り決める、請求項１から３までのいずれか１項記載の方法。
【請求項５】
前記シグナリングメッセージ（ＴＦＣＩ）におけるその都度の部分情報を用いて、前記サービス（Ｓ）の個々のデータレートを１つのコネクションにおいて、及び１つまたは複数のチャネルの使用を共通のチャネル（ＤＳＣＨ）においてインバンドでシグナリングする、請求項１から４までのいずれか１項記載の方法。
【請求項６】
前記シグナリングメッセージ（ＴＦＣＩ）及び／又は前記開始地点及び／又は前記方向を専用チャネルにおいて伝送する、請求項１から５までのいずれか１項記載の方法。
【請求項７】
前記開始地点及び／又は前記方向を制御チャネルにおいて伝送する、請求項１から５までのいずれか１項記載の方法。
【請求項８】
前記開始地点及び／又は前記方向をそれぞれコネクションの確立時に前記加入者局（ＭＳ）にシグナリングする、請求項１から５までのいずれか１項記載の方法。
【請求項９】
基地局（ＢＳ）と加入者局（ＭＳ）との間のデータ伝送を無線インタフェースを介して行う、チャネルを割り当てるための無線通信システムの基地局において、
−時間的に連続して使用される、複数の並行して存在するコネクション（Ｖ１、Ｖ２）のための少なくとも２つのチャネルから成る、複数の加入者局（ＭＳ）によって共通して使用可能なチャネル（ＤＳＣＨ）の送出のための伝送手段を有し、ここで該チャネルは加入者局（ＭＳ）には既知である順番で構成されており、
複数のチャネルまたはデータレートを割り当てるために加入者局（ＭＳ）への加入者固有のシグナリングメッセージ（ＴＦＣＩ）を送出し、且つ前記加入者局（ＭＳ）によりチャネルを選択するための開始地点及び／又は順番の方向をシグナリングする、シグナリング手段を有する、
ことを特徴とする、チャネルを割り当てるための無線通信システムの基地局。
【請求項１０】
受信手段を備えた、基地局（ＢＳ）と加入者局（ＭＳ）との間のデータ伝送を無線インタフェースを介して行う、チャネルを割り当てるための無線通信システムの加入者局において、
前記受信手段は、
−時間的に連続して使用される、複数の並行して存在するコネクション（Ｖ１、Ｖ２）のための少なくとも２つのチャネルから成る、基地局（ＢＳ）から送出され、別の加入者局（ＭＳ）と共に共通して使用可能なチャネル（ＤＳＣＨ）を受信し、ここで前記チャネルは前記加入者局（ＭＳ）に既知である順番で構成されており、
−複数のチャネルを割り当てるための加入者固有のシグナリングメッセージ（ＴＦＣＩ）またはデータレート、及びチャネルを選択するためのシグナリングされた開始地点を及び／又は順番の方向を受信する、
ことを特徴とする、チャネルを割り当てるための無線通信システムの加入者局。
【請求項１１】
請求項１記載の方法を実施することを特徴とする無線通信システム。
【発明の詳細な説明】
【技術分野】
【０００１】
本発明は無線通信システム、殊に広帯域無線インタフェースを備えたＵＭＴＳ（universal mobile telecommunication system）と称される移動無線システムにおいてャネルを割り当てる方法に関する。さらに本発明は基地局システム、加入者局並びに本発明による方法を実施する無線通信システムに関する。
【０００２】
無線通信システムにおいてはデータは電磁波を用いて無線インタフェースを介して伝送される。無線インタフェースは基地局と加入者局との間のコネクションに関連し、ここで加入者局は移動局または固定の無線局であってよい。電磁波の放射は、それぞれのシステムに対して設けられている周波数帯域内の搬送周波数を用いて行われる。将来の無線通信システム、例えばＵＭＴＳ移動無線システムまたは第３世代の別のシステムに対しては約２０００ＭＨｚの周波数帯域における周波数が設けられており、１つのチャネルの帯域幅は５ＭＨｚである。
【０００３】
ＵＭＴＳ移動無線システムに対しては、ＧＳＭ（global system for mobile communications）と比べると、並行でも伝送できる複数のサービスが設けられている。特許明細書ＥＰ  ９８  １２２  ７１９及びＤＥ  １９８  ５５  １９４には、複数のサービスのデータが組み合わされた伝送フォーマットをシグナリングする可能性が記載されている。１つのコネクションの複数のサービスのデータは、共通して使用される物理チャネルを介して伝送される。
【０００４】
１つのコネクションの複数のサービスのデータを加入者局へと伝送するために、共通して使用される物理チャネルを使用することは、明確なマッピング規則が物理チャネルの異なるセグメントへのサービスの分配を表すことを前提とする。物理チャネルは例えば、周波数帯域及びフレーム内の拡散符号（ＣＤＭＡ、符号分割多重）によって規定される。
【０００５】
マッピング規則の説明については以下の概念が通例である。
伝送フォーマット（ＴＦ）：
伝送フォーマットはデータレート、符号化、インターリービング、付点（Punktierung、dotting）によるデータレートの適合及びサービスのための伝送プロトコルの誤り保護規則を規定する。
伝送フォーマットセット（ＴＦＳ）：
これによって、特別なサービスに対して許可されている、考えられる伝送フォーマットのセットが表される。
伝送フォーマット組合せ（ＴＦＣ）：
この概念は、共通の物理チャネルへマッピングされる種々のサービスの伝送フォーマットの考えられる組合せを表す。
伝送フォーマット組合せセット（ＴＦＣＳ）：
これによって、特別なコネクションに対して許可されている全てのＴＦＣの部分量としての考えられるＴＦＣのセットが表される。
伝送フォーマット組合せ識別子（ＴＦＣＩ）：
この情報はＴＦＣＳの内の伝送フォーマットの目下使用されている組合せを表す。
【０００６】
種々のサービスの伝送フォーマットの目下使用されている組合せを需要に応じて選択するために、ＴＦＣの変更性したがってＴＦＣＩの規則的なシグナリングが必要である。しかしながらこのシグナリングは不利なことに伝送容量を制限する。考えられる組合せの可能性（ＴＦＣＳ）の数が多くなればなるほど、より多くの容量がシグナリングのために必要とされる。
【０００７】
ＵＭＴＳ移動無線システムのＦＤＤモード（ＦＤＤ、周波数分割多重）のために選択された広帯域ＣＤＭＡシステムでは、下り方向（ダウンリンク）における基地局から加入者局への送信の際、同時に使用可能な直交拡散符号の個数が制限されており、これによって可変のデータレートの支援が困難であるという問題が生じる。つまりシステムにおけるトラフィック密度がより高い場合には、それぞれの最高データレートでもって伝送される際に必要であるチャネルと同じ数だけの専用のチャネル、すなわち専ら加入者局によって使用されるチャネル（ＤＣＨ、専用チャネル、Dedicated Channel）を全ての加入者に分配することはできない。
【０００８】
この理由から下り方向においては共通のチャネル、いわゆる「共有チャネル」（ＤＳＣＨ、ダウンリンク共有チャネル、downlink shared channel）が規定される。これに関しては、１９９８年１１月９日、ＥＴＳＩ  ＳＭＧ２  ＵＭＴＳ−Ｌ１、Ｔｄｏｃ  ＳＭＧ２  ＵＭＴＳ−Ｌ１  ５５９／９８を参照されたい。共通のチャネルは広帯域の周波数帯域において拡散符号により形成され、これらの共通のチャネルは１つまたは複数のフレームのそれぞれの持続時間の間、一時的に種々のコネクションないし加入者局に分配される。しかしながらこの際に、これらの共通のチャネルのいずれのチャネルにおいて加入者局に対して情報が伝送されるか否か、及び何時伝送されるかということを加入者局に対して最小限の手間でもって、どのようにしてシグナリングできるかという問題が生じる。
【０００９】
さらに、１９９８年１１月９日、ＥＴＳＩ  ＳＭＧ２  ＵＭＴＳ−Ｌ１、Ｔｄｏｃ  ＳＭＧ２  ＵＭＴＳ−Ｌ１  ５５９／９８から、時分割多重で伝送されるサービスについてのデータレートのシグナリングをＴＦＣＩパラメータを用いて行い、このＴＦＣＩパラメータは各フレームの間で制御情報の部分として、すなわちインバンド（In-Band）で伝送される。共通のチャネルの迅速な割り当てを保証するために、所定数のこれらのＴＦＣＩビットを専ら所定の拡散符号を表するために使用する明示的なシグナリングが提案される（この文献の最後から２番目のページを参照されたい）。
【００１０】
この解決策は、これによってＴＦＣＩビットが所定数である場合、サービスの伝送フォーマットの組合せ可能性の個数が明らかに制限されるという欠点を有し、このことは可変のデータレートの伝送時の柔軟性を明らかに低下させる。
【００１１】
これに関してＤＥ  １９８  ５６  ８３４  Ａ１から、使用される共通のチャネルのシグナリングが暗示的にデータレートを介して行われ、また個々のサービスが所定のデータレートである場合のみ、チャネルの複数の組合せは択一的に許可されることが公知である。
【００１２】
専用のコネクションではコネクションの開始時に、どのリソースを使用できるかが確認される。データレートはコネクションの全体の期間にわたり通常は一定ではないので、公知の方法では目下のデータレートは各割当周期の間別個にシグナリングされる。移動無線システムＵＭＴＳでは、割当周期は例えばいわゆるＴＴＩ（伝送時間間隔、Transmission Timen Interval）に相応する。このデータレートから加入者は目下占有するリソースを導出する。
【００１３】
例：コネクションのデータレートが最大１００ｋＢに設定され、これに関して加入者にはリソース０〜１９が割り当てられる。データレートが短時間５０ｋＢに低減すると、リソース０〜９のみが使用される。残りのリソースはその期間使用されないままである。
【００１４】
リソースが共通に使用される場合には各伝送に関して、どの加入者がどのリソースを使用してよいかを設定する必要がある。このために複数の可能性が存在する。
１．その都度一人の加入者のみが全てのリソースを使用することができる。したがって加入者は排他的に時分割多重方式によりリソースにアクセスできる。加入者が僅かなデータ量しか受け取らない場合には、残りのリソースは使用されないままである。
２．各加入者には明示的に、加入者がどのリソースを使用してよいかが伝達される。例えば：加入者（ＴＮ）１はリソース０〜３を使用し、ＴＮ２はリソース４及び８を使用し、ＴＮ３はリソース５及び１２〜３６を使用する。この方式は高い柔軟性を提供するが、非常に多くのビットをシグナリングしなければならないという欠点を有する。
３．さらに、可能性１及び２の方式の間での種々の段階が存在する。
【００１５】
したがって記述の全ての方式では、リソース情報が明示的に加入者に転送される。付加的に各加入者には、さらに並行して目下のデータレートが伝送される。このことは高いシグナリング負荷をもたらし不利である。
【００１６】
本発明の課題は、複数のコネクションに対して共通のチャネルが使用される場合に、リソース割当の効率を高める方法を提供することである。この課題は、独立請求項の特徴による基地局システム、加入者局並びに無線通信システムによって解決される。有利な実施形態は従属請求項に記載されている。
【００１７】
本発明の技術的思想は、共通の１つのチャネルにおいて使用されるチャネルのシグナリングを、加入者局には単にチャネルの個数ないしデータレート並びに開始地点及び／又は方向のみがシグナリングされるように構成することである。このことは例えば記述のＴＦＣＩシグナリングメッセージ内の１ビットを用いて行うことができ、加入者局はチャネルの順序において昇順または降順にチャネルを選択するべきか否かを２進数の状態が表す。データレートはインバンドでシグナリングされ、データレートに関するこの情報は各フレームにおいて完全に包含されている必要はない。コネクション文脈ないし先行のフレームからの情報は同様にデータレートの検出のために使用することができる。
【００１８】
共通のチャネルにおける割り当てられたデータレートと使用されるチャネルとの間の関係は、別個のシグナリングチャネルにおいて取り決められ、その結果ＴＦＣＩパラメータのそれぞれの値から、１つまたは複数の共通のチャネルも含めたチャネルにおいて選択された組合せを受信側のために導出することができる。関係のこのシグナリング（ないし伝送フォーマットの設定された組合せへのＴＦＣＩ値のマッピング規則）は、有利には基地局と加入者局との間でコネクションを確立する際に行われる。
【００１９】
本発明の実施例を図面に基づき詳細に説明する。
【００２０】
ここで図１は、無線通信システムの概略図を示す。図２、３は共通に使用される物理チャネルにおける種々のサービスのデータのマッピングを示す。図４は、伝送プロトコルの階層モデルである。図５は、本発明によるチャネル割当を用いたフレーム的のデータ伝送を示す。
【００２１】
無線通信システムの例としての図１に示された移動無線システムは、複数の移動交換局ＭＳＣ（移動通信交換局、Mobile Switching Center）から構成されており、これらの移動交換局ＭＳＣは相互にネットワーク化されている、ないしは固定網ＰＳＴＮ（公衆電話回線交換局、Pubilic Swiched Telephone Network）へのアクセスを確立する。さらにこれらの移動交換局ＭＳＣはそれぞれ少なくとも１つの装置ＲＮＭ（無線網管理局、Radio Netowork Mangement）と伝送リソースを制御するために接続されている。これらの各装置ＲＮＭはやはり、少なくとも１つの基地局ＢＳ（ベースステーション）とのコネクションも可能にする。
【００２２】
基地局ＢＳは無線インタフェースを介して加入者局、例えば移動局ＭＳ（モバイルステーション、Mobile Station）または他の移動端末機器及び固定端末機器とのコネクションを確立する。各基地局ＢＳによって、少なくとも１つの無線セルが形成される。図１には、基地局ＢＳと移動局ＭＳとの間で有効情報を伝送するためのコネクションが示されている。コネクションＶ１の内部においては、例えば３つのサービスＳ（Ｓ１、Ｓ２、Ｓ３）のデータが１つまたは複数の物理チャネルＰｈｙ  ＣＨにおいて伝送され、またシグナリング情報、例えばコネクションＶ１に対して分配された無線技術的なリソースがコネクションに付随する制御チャネルＦＡＣＨ（順方向リンクアクセスチャネル、Forward link Access CHannel）を介して伝送される。
【００２３】
操作管理局ＯＭＣ（操作及び管理センター、Operation and Maintenance Center）は、移動無線システムないしこの移動無線システムの部分に関する制御及び管理機能を実現する。この構成の機能性は、殊に無線で加入者と接続する加入者アクセス網のために、本発明を使用することができる別の無線通信システムに伝送することができる。
【００２４】
図１による無線通信システムでは、基地局ＢＳにおいても移動局ＭＳにおいても、相互に通信する伝送手段及びシグナリング手段が設けられている。伝送手段は、目下使用可能な物理チャネルＰｈｙ  ＣＨを介して複数のサービスＳを組み合わせたデータを伝送するために使用される。物理チャネルＰｈｙ  ＣＨは、専用チャネルＤＣＨすなわち１つのコネクションによって排他的に使用されるチャネルとして、または共通のチャネルすなわち交互にまたは並行に異なるコネクションＶ１、Ｖ２によって使用されるチャネルとして構成することができる。すなわち、１つのコネクションＶ１の複数のサービスＳ１、Ｓ２、Ｓ３によって共通して使用される物理チャネルＰｈｙ  ＣＨと複数のコネクションＶ１、Ｖ２に分配されている共通のチャネルＤＳＣＨとを区別することができる。共通のチャネルＤＳＣＨの分配の変更は、付加的なシグナリングの手間は要せずに非常に迅速にフレームからフレームへと行うことができる。
【００２５】
シグナリング手段は、サービスＳ１、Ｓ２、Ｓ３のための伝送フォーマットの選択された組合せについてのＴＦＣＩ値を検出し、伝送フォーマットＴＦのインバンドシグナリングを行う。別個のチャネルＦＡＣＨにおいては、伝送フォーマットＴＦの組合せ及び使用されるチャネルＤＣＨ、ＤＳＣＨについてのＴＦＣＩ値のマッピング規則がシグナリングされる。
【００２６】
図４による階層モデルは、無線通信システムのプロトコルの３つの層への分類を示す。
【００２７】
層１：物理的な媒体を介してビットを伝送するための全ての機能（符号化、変調、送信出力制御、同期など）を表す物理層
層２：データの物理層へのマッピング及びマッピングの制御を表すデータリンク層
層３：無線インタフェースのリソースを制御するネットワーク層
層３においては、コネクションのためにＴＦＣＳが設定され、その間に層２においては（ＴＦＣＳの）組合せの選択が行われ、この選択は後に説明するように、ＴＦＣＩを用いてインバンドでシグナリングされる。
【００２８】
層１と層２との間のパラメータ交換は、層２のデータを有するフレームを無線インタフェースを介して伝送する機能及び層１のステータスのより高い層へ表示する機能を支援する。層１と層３との間のパラメータ交換は、層１における伝送のコンフィギュレーションの制御を支援し、層１に関するシステム情報を生成する。
【００２９】
１つの共通の物理チャネルＰｈｙ  ＣＨにおける種々のコネクションＳのデータのマッピング及び共通のチャネルＤＳＣＨの分配のシグナリングは、層１及び層２の相互作用に相応する。
【００３０】
図２及び図３に応じて、目下伝送されるサービスのための伝送フォーマットＴＦのシグナリングの必要性が生じる。
【００３１】
図２には、符号化及び多重化ユニットが機能的に示されており、このユニットはサービスＳ１、Ｓ２、Ｓ３のデータにそれぞれ相応する複数のデータチャネルＤＣＨを、符号化された共通の伝送プロトコルＣＣＴｒＣＨにマッピングする。ここでマッピングとは、どのビットパターンに応じてデータがシリアルデータシーケンスへと入力されるかという規則である。多重化解除／分配手段は、符号化された共通の伝送プロトコルＣＣＴｒＣＨのデータを複数の物理チャネルＰｈｙ  ＣＨに分配する。したがって物理チャネルＰｈｙ  ＣＨを介してそれぞれ恒常的に、複数のサービスＳ１、Ｓ２、Ｓ３のデータが伝送される。物理チャネルＰｈｙ  ＣＨは１つのサービスＳ１またはＳ２またはＳ３のみに割り当てられるのではなく、全てのサービスＳ１、Ｓ２、Ｓ３を有する符号化された共通の伝送プロトコルＣＣＴｒＣＨに対応づけられる。
【００３２】
受信側はこのマッピングを理解して、データを物理チャネルＰｈｙ  ＣＨから読み出し、再びサービスの別個の伝送チャネルＤＣＨにおいて表さなければならないので、シグナリングが必要となる。ＴＦＣＩ値であるこのシグナリングは、サービスの伝送フォーマットＴＦの目下使用されている組合せを表し、後に説明するように、１つの共通のチャネルまたは複数の共通のチャネルの目下の分配も表す。コネクションに対してどの組合せが許可されているか（ＴＦＣＳ）は、コネクションの確立時に取り決められている。
【００３３】
データレートとサービス組合せとの間の関係における２つの可能性を実現できる（ＥＰ  ９８  １２２  ７１９も参照されたい）。すなわち、
１．各データレートは正確に伝送フォーマットのＴＦの１つの組合せに一致する。
２．データレート毎に伝送フォーマットＴＦの複数の組合せが可能であり、この組合せはＴＦＣＩ値に基づき区別可能である。
【００３４】
図３には、若干変更されたマッピングが示されており、ここでは物理チャネルＰｈｙ  ＣＨが複数のサービスＳ１、Ｓ２、Ｓ３によって共通に使用される場合にのみ、部分情報ＴＦＣＩのシグナリングが必要であることが明らかとされる。１つのサービスＳ１またはＳ２またはＳ３が１つの物理チャネルＰｈｙ  ＣＨを排他的に使用する場合には、部分情報ＴＦＣＩのシグナリングを省略することができる。
【００３５】
図５に示された本発明による方法は、２人の加入者のみが１つの割当周期において同時にリソースを分割することを前提とする。これによって、１つの加入者局に対するデータ量が僅かである場合にリソースは使用されないままであることは回避される。このことは例えばパケット伝送の終局において、さらに残りの量を伝送すべきであるが、他方では別の加入者のためのデータは後続の伝送を待つ場合に生じる。複数の加入者への並行の分配は省略される。何故ならばこのことは従来通り、時分割多重方式に応じて処理できるからである。
【００３６】
２つの加入者局には、それぞれデータレートないし使用すべきチャネルの個数がシグナリングされる。使用されるリソースの合計は、共通のチャネルにおいて使用可能なリソースの数を上回ることはない。一方の加入者局は例えば０から、求められたリソースの数までの全てのリソースを評価する。他方の加入者局は、最大リソースから降順に、リソースのシグナリングされたリソースの数、またはデータレートから求められたリソースの数までの全てのリソースを評価する。
【００３７】
図示していない例でこのことをもう一度明らかにする。すなわち全体のデータレートは例えば１００ｋＢであり、リソース０〜１９を使用する。第１の加入者局は４つのリソースに対応する２０ｋＢのデータレートを算出し、第２の加入者局は１６のリソースに対応する８０ｋＢのデータレートを算出する。第１の加入者局は０から３までのリソースを読み取り、第２の加入者局は１９から４までのリソースを読み取る。
【００３８】
どの加入者局が降順で読取を開始し、またどの加入者局が降順で読取を開始するかは、最初から各加入者局に対して設定することができるか、１ビットの情報を介してそれぞれの加入者局へと時宜的にシグナリングすることができる。次の割当の再には、やはり２つの別の加入者局またはだた１つの別の加入者局が応答することができる。ここでは、リソースが１つの関連するブロックを形成する必要はない。
【００３９】
本発明による方法は、ＵＭＴＳ移動無線システムのＦＤＤモードにもＴＤＤモードにも適している。
【００４０】
ＵＭＴＳ  ＴＤＤ１．２８Ｍｃｐｓ移動無線システムに基づき、本発明による方法をステップ毎に説明する。
１．開始時に、全ての加入者局ＭＳには１つの時間フレームＦｒａｍｅのタイムスロットＴＳ５からＴＳ７における全てのリソースが共通して使用されるチャネルとして使用可能であるという情報が提供される。リソースは３０ｋＢの模範的なデータレートを有するいわゆる共有チャネルを形成する。
２．時間フレームＦｒａｍｅ２では、加入者局ＭＳ１及びＭＳ２へのデータが伝送され、したがって時間フレームＦｒａｍｅ１は伝送の前に２つの加入者局ＭＳ１、ＭＳ２にそれぞれＴＦＣＩを伝送する。伝送はいわゆる共通制御チャネル（Common Control Channel）または専用チャネル（Dedicated Channel）を用いて行うことができる。シグナリングの有効性の時点が表されているシグナリングも同様に考えられる。
３．加入者局ＭＳ１はシグナリングから時間フレームＦｒａｍｅ２については１０ｋＢのデータレートを求め、また最小リソース番号から昇順に受信を開始すべき事を求める。１０ｋＢのデータレートは例えば１つのタイムスロットＴＳに相応する。加入者局ＭＳ１は時間フレームＦｒａｍｅ２におけるＴＳ５のみを読み取る。
４．加入者局ＭＳ２はシグナリングから、時間フレームＦｒａｍｅ２については２０ｋＢのデータレートを求め、最大リソース番号から降順に、これらのチャネルにおいて基地局の送信の降順方向での受信を開始すべきことを求める。加入者局ＭＳ２は時間フレームＦｒａｍｅ２におけるタイムスロットＴＳ７及びＴＳ６を読み出す。
【００４１】
後続の時間フレームＦｒａｍｅ３におけるコンフィギュレーションをシグナリングに依存して、破線で示されているように時間フレームＦｒａｍｅ２のシグナリングに対応させることができるか、目下の要求に応じて変更することもできる。
【００４２】
本発明はより多くの加入者局を使用することができる。使用可能なチャネル及び開始並びに方向のシグナリングの適切なセグメント化によって、有利にはリソースを節約した割当を行うことができる。共通のチャネルにおけるチャネルの順番を４つの開始地点に区分することができ、この際方向は同一である。ＴＦＣＩシグナリングメッセージにおける２ビットを用いる開始地点のシグナリングにより、４つのチャネルセグメントを別個に割り当てることができる。
【００４３】
ＦＤＤモードを使用する移動無線システムにおいて本発明による方法を実現する場合には、タイムスロットないしタイムスロットとＣＤＭＡ符号の組合せ（ＴＤＤモード）の代わりに、それぞれのＣＤＭＡ符号によって規定されるチャネルが割り当てられる。共有のチャネルは、加入者局には既知の順序で規定される複数のチャネルから成る。
【図面の簡単な説明】
【００４４】
【図１】無線通信システムの概略図である。
【図２】共通して使用される物理チャネルにおける種々のサービスのデータのマッピングを示す。
【図３】共通して使用される物理チャネルにおける種々のサービスのデータのマッピングを示す。
【図４】伝送プロトコルの階層モデルである。
【図５】本発明によるチャネル割当を用いるフレーム的なデータ伝送である。
【図１】
2004530385.tif 000003
【図２】
2004530385.tif 000004
【図３】
2004530385.tif 000005
【図４】
2004530385.tif 000006
【図５】
2004530385.tif 000007
【国際公開パンフレット】
2004530385.tif 000008
2004530385.tif 000009
2004530385.tif 000010
2004530385.tif 000011
2004530385.tif 000012
2004530385.tif 000013
2004530385.tif 000014
2004530385.tif 000015
2004530385.tif 000016
2004530385.tif 000017
2004530385.tif 000018
2004530385.tif 000019
2004530385.tif 000020
2004530385.tif 000021
2004530385.tif 000022
2004530385.tif 000023
2004530385.tif 000024
2004530385.tif 000025
2004530385.tif 000026
2004530385.tif 000027
2004530385.tif 000028
2004530385.tif 000029
2004530385.tif 000030
2004530385.tif 000031
【国際公開パンフレット（コレクトバージョン）】
2004530385.tif 000032
2004530385.tif 000033
【国際調査報告】
2004530385.tif 000034
2004530385.tif 000035
2004530385.tif 000036
2004530385.tif 000037
2004530385.tif 000038
2004530385.tif 000039